(57)【要約】【課題】この発明は利用者の身体の重たい部分を落ち込ませることなく、柔らかな感触で支えることができるマットレス装置を提供することにある。【解決手段】第１のスプリングユニット２は、１本の線材によって複数のばね部１５が連続して形成された複数のばね体１３が矩形板状に連結して構成されており、第２スプリングユニット３は、袋体２４に収容された複数のコイルスプリング２３を行列状に配置して構成されており、これら第１のスプリングユニットと第２のスプリングユニットとが重合された構成である。【選択図】    図１
2004242690.tif 000002
【特許請求の範囲】
【請求項１】
第１のスプリングユニットと第２のスプリングユニットとを重合し、この重合体の上面と下面とにそれぞれシート状の弾性部材を積層し、これらを外装地で被覆して構成されるマットレス装置において、
上記第１のスプリングユニットは、１本の線材によって複数のばね部が連続して形成された複数のばね体が矩形板状に並設されて構成され、
上記第２スプリングユニットは、袋体に収容された複数のコイルスプリングを上記第１のスプリングユニットとほぼ同じ大きさの矩形板状となるよう行列状に配置して構成されていることを特徴とするマットレス装置。
【請求項２】
上記第２のスプリングユニットの各コイルスプリングを収容した袋体はそれぞれ分割されており、隣り合う袋体の高さ方向中途部は連結されていることを特徴とする請求項１記載のマットレス装置。
【請求項３】
上記第２のスプリングユニットの行方向或いは列方向に沿う少なくとも複数の隣り合う袋体は、高さ方向全長が連結されて一体形成されていることを特徴とする請求項１記載のマットレス装置。
【請求項４】
第１のスプリングユニットと第２のスプリングユニットとを重合し、この重合体の上面と下面とにそれぞれシート状の弾性部材を積層し、これらを外装地で被覆して構成されるマットレス装置において、
上記第１のスプリングユニットは、１本の線材によって複数のばね部が連続して形成された複数のばね体が矩形板状に並設されて連結され、これらばね体がなす一方の面と他方の面との周縁部にはそれぞれ第１の枠線が連結されて構成されており、
上記第２スプリングユニットは、袋体に収容された複数のコイルスプリングが上記第１のスプリングユニットとほぼ同じ大きさの矩形板状となるよう行列状に配置されるとともに、周縁に位置するコイルスプリングの軸方向一端は第２の枠線によって連結されて構成されており、
重合される第１のスプリングユニットと第２のスプリングユニットとの間にはシート状の仕切り部材が設けられ、この仕切り部材の周縁部と上記第１のスプリングユニットの一方の第１の枠線及び上記第２のスプリングユニットの周縁に位置するコイルスプリングの軸方向他端とは連結手段によって連結されてなることを特徴とするマットレス装置。
【請求項５】
上記第２のスプリングユニットに積層される弾性部材は、この第２のスプリングユニットに対向する面が凹凸面に形成されていることを特徴とする請求項１又は請求項４記載のマットレス装置。
【発明の詳細な説明】
【０００１】
【発明の属する技術分野】
この発明は複数のスプリングユニットを重合して構成されるマットレス装置に関する。
【０００２】
【従来の技術】
マットレス装置の性能の向上を図るために、たとえば特許文献１に示されるように、複数のスプリングユニットを重合し、この重合体を外装地で被覆した構成が知られている。
【０００３】
上記特許文献１に示されたマットレス装置は、相対的に径の小さい筒状スプリングを多数並設してなる上段側スプリング層と、相対的に径の大きい筒状スプリングを多数並設してなる下段側スプリング層とを、ネット状平面弾性部材を介して積層し、これらを側地で被覆した構成となっている。
【０００４】
【特許文献１】
登録実用新案公報第３０５７９９３号
【０００５】
【発明が解決しようとする課題】
多数の筒状スプリングを並設して構成された上段スプリング層は、このスプリング層に荷重が加わると、その荷重に対して各筒状スプリングが独立的に弾性変形する。つまり、大きな荷重が加わった部分は大きく弾性変形し、荷重が加わらない部分はほとんど弾性変形しないため、上段スプリング層に加わる荷重が分散せず、部分的に集中することになる。
【０００６】
そのため、利用者の身体の重い部分を受ける筒状スプリングは、その荷重に応じて大きく弾性変形するから、利用者には比較的柔らかな感触を与える。しかしながら、そのような構成の２つのスプリング層を積層したマットレス装置によると、荷重の分散度合が大幅に小さくなるから、それに応じてたとえば臀部などのように利用者の身体の重い部分の落ち込みも大きくなる。
【０００７】
その結果、利用者は背筋が大きく曲がった寝姿勢になり、寝心地が低下するということがあるばかりか、身体の重い部分が大きく沈むことで、仰臥した利用者が起き上がるときには体力を要するため、体力の低下した老人や病人などは起き上がるのが容易でないなどのことがあった。
【０００８】
この発明は、利用者の身体を柔らかく支えることが可能であるとともに、身体の重い部分を大きく沈むことなく支えることも可能なマットレス装置を提供することにある。
【０００９】
【課題を解決するための手段】
この発明は、第１のスプリングユニットと第２のスプリングユニットとを重合し、この重合体の上面と下面とにそれぞれシート状の弾性部材を積層し、これらを外装地で被覆して構成されるマットレス装置において、
上記第１のスプリングユニットは、１本の線材によって複数のばね部が連続して形成された複数のばね体が矩形板状に並設されて構成され、
上記第２スプリングユニットは、袋体に収容された複数のコイルスプリングを上記第１のスプリングユニットとほぼ同じ大きさの矩形板状となるよう行列状に配置して構成されていることを特徴とするマットレス装置にある。
【００１０】
上記第２のスプリングユニットの各コイルスプリングを収容した袋体はそれぞれ分割されており、隣り合う袋体の高さ方向中途部は連結されていることが好ましい。
【００１１】
上記第２のスプリングユニットの行方向或いは列方向に沿う少なくとも複数の隣り合う袋体は、高さ方向全長が連結されて一体形成されていることが好ましい。
【００１２】
この発明は、第１のスプリングユニットと第２のスプリングユニットとを重合し、この重合体の上面と下面とにそれぞれシート状の弾性部材を積層し、これらを外装地で被覆して構成されるマットレス装置において、
上記第１のスプリングユニットは、１本の線材によって複数のばね部が連続して形成された複数のばね体が矩形板状に並設されて連結され、これらばね体がなす一方の面と他方の面との周縁部にはそれぞれ第１の枠線が連結されて構成されており、
上記第２スプリングユニットは、袋体に収容された複数のコイルスプリングが上記第１のスプリングユニットとほぼ同じ大きさの矩形板状となるよう行列状に配置されるとともに、周縁に位置するコイルスプリングの軸方向一端は第２の枠線によって連結されて構成されており、
重合される第１のスプリングユニットと第２のスプリングユニットとの間にはシート状の仕切り部材が設けられ、この仕切り部材の周縁部と上記第１のスプリングユニットの一方の第１の枠線及び上記第２のスプリングユニットの周縁に位置するコイルスプリングの軸方向他端とは連結手段によって連結されてなることを特徴とするマットレス装置にある。
【００１３】
上記第２のスプリングユニットに積層される弾性部材は、この第２のスプリングユニットに対向する面が凹凸面に形成されていることが好ましい。
【００１４】
この発明によれば、複数のばね部が連続して形成された連続ばね体によって構成された第１のスプリングユニットは、複数のコイルスプリングを行列状に配置して構成された第２のスプリングユニットに比べて部分的に加わる荷重を分散するため、第２のスプリングユニットを上にして利用すると、利用者は第１のスプリングユニットの柔らかな感触によって支持されるとともに、第１のスプリングユニットの硬さによって身体の重い部分が大きく落ち込むのが防止される。
【００１５】
【発明の実施の形態】
以下、図面を参照しながらこの発明の実施の形態を説明する。
【００１６】
図１乃至図４はこの発明の第１の実施の形態を示し、図１に示すマットレス装置１は第１のスプリングユニット２と第２のスプリングユニット３とが重合されている。図１においては、第１のスプリングユニット２が下側で、第２のスプリングユニット３が上側になっている。
【００１７】
上記第１のスプリングユニット３の下面にはフェルトなどによって形成された保護シート４を介して低反発ウレタンフォームからなる同じくシート状の下部弾性材５が積層されている。上記第２のスプリングユニット３の上面には下部弾性材５と同様、低反発ウレタンフォームによってシート状に形成された上部弾性材６が積層されている。この上部弾性材６の下面、つまり第２のスプリングユニット３の上面と対向する面は、板面全体にわたって多数の凹部と凸部とが交互に形成された凹凸面７となっている。
【００１８】
そして、第１のスプリングユニット２、第２のスプリングユニット３、下部弾性材５及び上部弾性材６からなる積層体は外装地８によって被覆されている。この外装地８は上記積層体の外周面を被覆したまち地９と、上記積層体の下面と上面とを被覆した一対の鏡地１０とからなり、まち地９の上端に上記各鏡地１０の周縁がテープエッジ１１によって縫合されてなる。
【００１９】
上記第１のスプリングユニット２は複数のばね体１３を矩形板状に並設し、これらばね体１３の上下面がヘリカル線１４によってばね体１３の並設方向と交差する方向に連結して構成されている。
【００２０】
上記ばね体１３は図３（ａ），（ｂ）と図４に示すように１本の線材によって複数のコイル状のばね部１５が連続して形成されている。隣り合う一対のばね部１５の下端は、平面形状がコ字状をなした下部連結杆１６によって連続しており、上端は同じく平面形状がコ字状をなした上部連結杆１７によって連続している。下部連結杆１６と上部連結杆１７とは交互に形成されており、さらに隣り合う一対のばね部１５の中途部は絡められている。
【００２１】
ヘリカル線１４によって矩形板状に連結された複数のばね体１３からなる第１のスプリングユニット１の上面と下面との周縁には、それぞれ第１の上部枠線１８と第１の下部枠線１９とがそれぞれクリップ２０によって取付け固定されている。
【００２２】
上記構成の第１のスプリングユニット１と上記第２のスプリングユニット３との間には仕切り部材２１が設けられている。この仕切り部材２１は、たとえば繊維をシート状に圧縮して接着剤で結合したプレスパームなどが用いられている。
【００２３】
上記第２のスプリングユニット３は行列状に配置された多数のコイルスプリング２３からなる。各コイルスプリング２３は熱溶融性の繊維からなる不織布によって形成された袋体２４に収容されている。隣り合う各コイルスプリング２３を収容した袋体２４の高さ方向中途部は互いに熱接着（ホットメルト）されている。これらのコイルスプリング２３は上記保護シート２１上に載置されている。
【００２４】
上記第２のスプリングユニット３の周縁に位置するコイルスプリング２３の下端は、上記第１のスプリングユニット２の第１の上部枠線１８に上記仕切り部材２１の周縁部とともに上記袋体２４を貫通した連結手段としてのクリップ２５によって一体的に結合されている。また、第２のスプリングユニット３の周縁に位置するコイルスプリング２３の上端には袋体２４を貫通したクリップ２７によって第２の上部枠線２６によって連結されている。
【００２５】
それによって、第２のスプリングユニット３は、クリップ２５によって第１のスプリングユニット２の第１の上部枠線１８及び仕切り部材２１と一体化されて仕切り部材２１上でずれ動くのが阻止されている。
【００２６】
しかも、上記仕切り部材２１の周縁部が第１のスプリングユニット２の第１の上部枠線１７にクリップ２５によって結合されている。そのため、第２のスプリングユニット３に部分的な荷重が加わっても、その荷重によって上記仕切り部材２１が部分的に大きく撓むのが防止される。つまり、第２のスプリングユニット３に荷重が部分的に加わっても、その荷重は上記仕切り部材２１によって第１のスプリングユニット２の全面に分散される。
【００２７】
このように構成されたマットレス装置１を、図１に示すように第１のスプリングユニット２を下側にし、第２のスプリングユニット３を上側にし、利用者がその上面に仰臥して利用すると、利用者の荷重分布に応じて第２のスプリングユニット３を形成するコイルスプリング２３が弾性的に変形する。つまり、第２のスプリングユニット３を構成する多数のコイルスプリング２３は荷重分布に応じて別々に弾性変形するため、利用者に柔らかな感触を与えることになる。
【００２８】
第２のスプリングユニット３に加わる荷重は、この第２のスプリングユニット３の下側の第１のスプリングユニット２に伝達される。第２のスプリングユニット３は、第１のスプリングユニット２の第１の上部枠線１８にクリップ２５によって周縁部が連結固定された仕切り部材２１を介して上記第１のスプリングユニット２上に載置固定されている。
【００２９】
利用者の身体の荷重分布に応じて第２のスプリングユニット３に加わる荷重が不均一であっても、第２のスプリングユニット３に加わる荷重は仕切り部材２１によってほぼ均一に分散されて第１のスプリングユニット２に加わる。
【００３０】
そのため、第１のスプリングユニット２は部分的に大きく弾性変形することなく、全体的にほぼ均一に弾性変形することになるから、利用者の身体の重たい部分が第２のスプリングユニット３を構成するコイルスプリング２３の柔らかさによって大きく沈んでも、第１のスプリングユニット２によって身体の重たい部分がそれ以上に大きく沈むのが阻止される。
【００３１】
しかも、第１のスプリングユニット２は１本の線材によって複数のばね部１５が連続して形成された複数のばね体１３を並設して構成されている。そのため、このばね体１３自体も、部分的な荷重を受けても部分的に弾性変形することがほとんどなく、荷重をばね体１３全体に分散しながら弾性変形する硬さを備えているため、上記仕切り部材２１の作用と相俟って利用者の身体の重たい部分が大きく沈むのを阻止する。
【００３２】
それによって、マットレス装置１上に仰臥した利用者は、身体の重たい部分が必要以上に大きく沈むことがないから、背筋が大きく曲がることのない寝姿勢を維持することができ、寝心地の向上が図れる。しかも、身体の重たい部分が大きく沈むことが防止されることで、利用者が老人や病人などのように体力が低下した人であっても、仰臥した状態から起き上がることが容易となる。
【００３３】
つまり、第１のスプリングユニット２を構成するばね体１３と仕切り部材２１との荷重を分散する機能と、第２のスプリングユニット３を構成するコイルスプリング２３の柔らかさとによって、利用者は柔らかな感触を受けながら、背筋が大きく曲がることのない良好な寝姿勢で仰臥することができる。
【００３４】
上記第２のスプリングユニット３を形成するコイルスプリング２３は袋体２４に収容されている。それによって、隣り合うコイルスプリング２３が直接ぶつかり合って騒音を発生するのが防止されるものの、袋体２４によって第２のスプリングユニット３の通気性が損なわれる虞がある。
【００３５】
しかしながら、第２のスプリングユニット３の上面に積層された上部弾性材６の、コイルスプリング２３に対向する内面は凹凸面７に形成されている。そのため、袋体２４に収容されたコイルスプリング２３の上端面と上部弾性材６の内面との間には上記凹凸面７によって図２に示すように空間部３１が形成されるから、その空間部３１によって通気性が確保されることになる。したがって、第２のスプリングユニット３と上部弾性材６との接合面間に湿気がこもるのを防止することができる。
【００３６】
しかも、上部弾性材６は低反発ウレタンフォームであるから、利用者の荷重によって圧縮変形されても、反力がほとんど生じることがない。そのため、上部弾性材６は利用者に圧迫感を与えることがほとんどない。
【００３７】
マットレス装置１が第１のスプリングユニット２と第２のスプリングユニット３との２層構造であるため、上側の第１のスプリングユニット２に加わる荷重は、この第１のスプリングユニット２と下側の第２のスプリングユニット３とに分散されることになる。そのため、スプリングユニットが１層構造のマットレス装置に比べて耐久性の向上を図ることができる。
【００３８】
上記構成のマットレス装置１は第１のスプリングユニット２を上側にし、第２のスプリングユニット３を下側にして利用することもできる。第１のスプリングユニット２を上側にして利用すると、この第１のスプリングユニット２の硬さによって利用者は身体の重たい部分がほとんど沈むことなく支えられるため、背筋が伸びた寝姿勢を維持することができるものの、第２のスプリングユニット３を上側にして利用した場合のように、利用者に第２のスプリングユニット３の柔らかな感触を直接、与えることはできない。
【００３９】
しかしながら、上側となった第１のスプリングユニット２は利用者の荷重を、この第１のスプリングユニット２の全面に分散して受けることになるから、第２のスプリングユニット３はこの第１のスプリングユニット２における荷重分布に対応して全体的にほぼ均一に弾性変形する。
【００４０】
したがって、第２のスプリングユニット３の柔らかな感触は得られないものの、第１のスプリングユニット２は第２のスプリングユニット３の柔らかな弾力性によって弾性的に支持されるから、マットレス装置１全体としては良好なクッション性能を呈することになる。つまり、上記マットレス装置１は、利用者の好みなどに応じて第１のスプリングユニット２と第２のスプリングユニット３とのどちらを上側にしても、利用することができる。
【００４１】
さらに、第２のスプリングユニット３はクリップ２５によって第１のスプリングユニット２と一体的に結合されている。そのため、第１のスプリングユニット２と第２のスプリングユニット３とを重合した構成であっても、これらスプリングユニット２，３がずれ動くようなことがなうため、性能的に安定した状態で使用することができる。
【００４２】
図５乃至図７はこの発明の第２の実施の形態を示す。この第２の実施の形態は第２のスプリングユニット３を構成するコイルスプリング２３を収容する袋体２４の変形例である。すなわち、上記袋体２３は第１の実施の形態と同様、熱溶融性の繊維によって形成されているとともに、複数の袋体２３が連結片３１によって一体成形されている。
【００４３】
図５と図６は第２のスプリングユニット３の列方向或いは行方向の一列を形成する複数の袋体２３が連結片３１によって連結されている。図７（ａ）は第２のスプリングユニット３の列方向全長にわたる複数の袋体２３が一体成形されている場合を示し、図７（ｂ）は行方向全長にわたる複数の袋体２３が連結されている場合を示している。さらに、図７（ｃ）は示すように列方向に沿う一部の袋体２４、この実施の形態では３つの袋体２４が一体成形されている場合を示す。
【００４４】
なお、図７（ｃ）において、一体成形される袋体２４の数は３つに限られず、列方向の一部であればよく、その数は２つ或いは４つ以上であってもよく、しかも列方向でなく、行方向に適用しても差し支えない。
【００４５】
このように、複数の袋体２４を一体成形すれば、隣り合う袋体２４を熱溶着する場合に比べて生産性の向上を図ることができるばかりか、長期の使用によって溶着状態が剥離するようなことがないから、安定した性能を維持することができる。
【００４６】
上記袋体２４を形成する不織布は柔軟性を有する。そのため、隣り合う袋体２４の高さ方向全長を連結片３１によって連結しても、第２のスプリングユニット３に荷重が部分的に加わると、その荷重を受けたコイルスプリング２３が弾性変形し、その弾性変形に応じてコイルスプリング２３を収容した袋体２４及びその袋体２４に連結片３１によって連結された袋体２４が変形する。
【００４７】
その結果、第２のスプリングユニット３の荷重を受けた部分のコイルスプリング２３は、その荷重に応じて弾性変形するが、そのコイルスプリング２３の近くに位置するコイルスプリング２３は、互いの袋体２４が連結されていても、それぞれの袋体２４が変形するため、大きく弾性変形することがない。
【００４８】
したがって、隣り合う袋体２４の高さ方向全長を連結片３１で連結しても、第２のスプリングユニット３は荷重分布に応じて弾性変形しやすいから、利用者に柔らかな感触を与えることができる。
【００４９】
この発明は上記各実施の形態に限定されるものでなく、種々変形可能である。たとえば、第１のスプリングユニットは、荷重を全面にほぼ均一に分散できるようにするため、１本の線材によって複数のばね部が連続して形成された複数のばね体を用いるようにした。このばね体は上部連結杆と下部連結杆とを有し、これら連結杆の平面形状をコ字状としたが、連結杆の平面形状はＺ字状やＥ字状であってもよく、またばね部はコイル状でなく、トーションバーであってもよい。つまり、ばね体は１本の線材によって複数のばね部を連続形成することで、局部的な荷重を分散できる構成であればよい。
【００５０】
また、第１のスプリングユニットの枠線に仕切り部材及び第２のスプリングユニットのコイルスプリングの袋体を連結手段としてのクリップによって連結したが、連結手段はクリップ以外のものであってもよく、要は仕切り部材及び第１、第２のスプリングユニットの三者を一体的に連結することができればよい。さらに、袋体は不織布以外の布地や合成樹脂シートなどで形成してもよく、要はコイルスプリングの弾性変形に応じて伸縮可能な材料であればよい。
【００５１】
【発明の効果】
以上のようにこの発明によれば、１本の線材によって複数のばね部が連続して形成された複数のばね体を並設して第１のスプリングユニットを形成し、この第１のスプリングユニットに複数のコイルスプリングを行列状に配置して形成された第２のスプリングユニットを重合してマットレス装置とした。
【００５２】
そのため、第１のスプリングユニットは荷重を分散して局部的に大きく弾性変形することがなく、第２のスプリングユニットは荷重分布に応じて弾性変形し易いから、これら２つのスプリングユニットの組み合わせによって柔らかな感触を与えることができるとともに、部分的な落ち込みが大きくなることのないマットレス装置を提供することが可能となる。
【図面の簡単な説明】
【図１】この発明の第１の実施の形態に係るマットレス装置の内部構造を示す一部分の斜視図。
【図２】マットレス装置の一部を破断して内部を示した側面図。
【図３】（ａ）は第１のスプリングユニットを形成するばね体の斜視図、（ｂ）はばね体にヘリカル線を連結した状態の斜視図。
【図４】第１のスプリングユニットの一部分の平面図。
【図５】この発明の第２の実施の形態を示すコイルスプリングを収容した袋体の斜視図。
【図６】コイルスプリングを収容した袋体の正面図。
【図７】第２のスプリングユニットの一部分の平面図。
【符号の説明】
２…第１のスプリングユニット、３…第２のスプリングユニット、５…下部弾性材、６…上部弾性材、８…外装体、１３…ばね体、１５…ばね部、２１…仕切り部材、２３…コイルスプリング、２４…袋体、２５…クリップ。
【図１】
2004242690.tif 000003
【図２】
2004242690.tif 000004
【図３】
2004242690.tif 000005
【図４】
2004242690.tif 000006
【図５】
2004242690.tif 000007
【図６】
2004242690.tif 000008
【図７】
2004242690.tif 000009